(57)【特許請求の範囲】
【請求項１】
静電潜像を保持し搬送する像形成装置と、前記像形成装置上に前記静電潜像を形成する露光手段と、前記像形成装置上に微小着色粉体であるトナーを供給し前記静電潜像を可視化してトナー像を形成する異なった色のトナーの封入された複数の現像装置と、像形成装置に隣接し前記像形成装置上に形成されたトナー像を表面に順次重ねあわせて多色画像を形成する中間転写装置と、記録媒体を搬送し前記中間転写装置に形成された多色画像を前記記録媒体上に転写する転写装置と、前記記録媒体上に転写された多色画像を前記記録媒体上に定着させる定着装置と、等の各印写装置を有する電子写真装置において、該電子写真装置は後面に記録媒体詰まりを排除するための開閉扉を有し、且つ該開閉扉の内側には、鏡状の反射部材と、前記転写装置とを配設し、前記開閉扉を開放すると、前記開閉扉が前記反射部材と前記転写装置を保持し、前記反射部材が反射像を形成し、前記電子写真装置の操作者に対して前記電子写真装置の内部像を目視し易い位置へ送ることを特徴とする電子写真装置。
【請求項２】
請求項１記載の電子写真装置において、該電子写真装置の記録媒体送り方向は該電子写真装置の前後方向と概略一致し、該電子写真装置は裏面に前記開閉扉を有するとともに、前面および上面に、消耗品の補充や定期交換部品の交換を行う他の開閉扉を有することを特徴とする電子写真装置。
【請求項３】
請求項１、２、３記載の電子写真装置において、前記記録媒体詰まりを排除するための開閉扉の内側に設けられた鏡状の反射部材は、該開閉扉に対し可動であり反射像を送る方向を変化させることが可能であることを特徴とする電子写真装置。
【請求項４】
請求項１、２、３記載の電子写真装置において、前記記録媒体詰まりを排除するための開閉扉の内側に設けられた前記鏡状の反射部材は、該開閉扉に対し折りたたまれて配設され、折りたたまれた前記反射部材を開いて反射像を送る方向を変化させることを特徴とする電子写真装置。
【請求項５】
請求項１、２記載の電子写真装置において、前記記録媒体詰まりを排除するための開閉扉の内側に設けられた前記鏡状の反射部材は、該開閉扉内側の既存の部材を鏡面状にして形成され、あるいは既存の部材上に鏡面状の薄膜部材を取り付けて形成されたことを特徴とする電子写真装置。
【請求項６】
請求項１、２、３、４、５記載の電子写真装置において、前記記録媒体詰まりを排除するための開閉扉が開放されたことを検知し、該電子写真装置の内部を照らす光源が点灯することを特徴とする電子写真装置。
【発明の詳細な説明】
【０００１】
【発明の属する技術分野】
本発明はプリンタや複写機等の電子写真装置において、特に記録媒体詰まり時に電子写真装置の操作者が詰まった記録媒体を排除する際、無理な姿勢を取ることがなく、また無駄な労力および時間を費やすことなく、容易に詰まった記録媒体を排除することが可能であり、よって高い操作性を得ることのできる電子写真装置に関する。
【０００２】
【従来の技術】
近年の電子写真装置は、小型化、低価格化、印字速度の高速化、高画質化、カラー化等が求められている。特に電子写真装置の小型化は低価格化の進行とともに、小さな事務所あるいは個人ユーザに普及させるために非常に重要な項目であり、小さな空間に設置可能であることが求められている。
【０００３】
一方、電子写真装置における紙等の記録媒体詰まりは、近年の記録媒体搬送技術の進歩により頻度は減少しているが、記録媒体自体の多種多様性、またユーザの取り扱いによる記録媒体の変形、さらには記録媒体搬送部材の使用劣化等により、皆無にすることは不可能である。よって一般的な電子写真装置は記録媒体詰まりを排除するための開閉扉を有し、記録媒体詰まりの際には電子写真装置を分解等することなく、該開閉扉を開放することによりユーザが詰まった記録媒体を排除できるように構成されている。
【０００４】
前記電子写真装置における従来の技術は、記録媒体詰まりを排除するための開閉扉を、該電子写真装置の前面、および装置の左右の側面に配設し、かつ記録媒体送り方向を前後方向に概略直交させる、すなわち装置の左右方向に記録媒体を送るように構成した例が一般的である。これは電子写真装置の操作者が記録媒体詰まりの際、該開閉扉を開放し、装置内部の詰まった記録媒体を容易に目視でき、よって操作者から死角となり得ないようにすることで、記録媒体詰まりの排除作業を容易にするためである。
【０００５】
【発明が解決しようとする課題】
しかしながら前述した一般的な電子写真装置の構成では、装置左右に記録媒体詰まりを排除するための開閉扉を有するため、開閉扉を開放するための空間が必要となり、例え電子写真装置本体の小型化が進んでも、左右に隣接して他のものを置いたり、事務所等の壁の角部に沿って電子写真装置を設置したり、机上の小さな空間に設置したりすることができない。
【０００６】
この課題を解決するために、電子写真装置の底部にキャスター等の回転移動可能な足を設け、記録媒体詰まりの際には、電子写真装置本体を回転移動することで向きを変え、記録媒体詰まりを排除するための開閉扉を操作者に向けることで、詰まった記録媒体を排除させるようにした例もあるが、電子写真装置本体を回転移動するためには、多大な労力と時間を費やすことになる。
【０００７】
一方、記録媒体詰まりを排除するための開閉扉による設置空間の大型化を防ぐために、電子写真装置の記録媒体送り方向を、該電子写真装置の前後方向と概略一致させることで、記録媒体詰まりを排除するための開閉扉を該電子写真装置の前面または後面に配設するようにし、左右側面に配設しないように構成した例もある。この構成において記録媒体詰まりを排除するための開閉扉を前面に配設すれば、操作者は目視で詰まった記録媒体を確認でき、排除は容易となる。しかし一般に電子写真装置では、トナーや記録媒体等の消耗品補充の他、定期交換部品の交換を行わなければならず、その頻度は近年の記録媒体送り技術の進歩により、記録媒体詰まりを排除する頻度より高くなっている。よって消耗品補充や定期交換部品の交換に用いる開閉扉と、さらに記録媒体詰まりを排除するための開閉扉とを、該電子写真装置の前面および上面だけに限定する構成は、各印写装置の配置および機構上、非常に困難であるばかりか、装置の構成を複雑にしてしまい、電子写真装置の小型化や低価格化を実現する上で障害となる。
【０００８】
本発明における電子写真装置では、簡単な構成により、特に記録媒体詰まり時に電子写真装置の操作者が詰まった記録媒体を排除する際、無理な姿勢を取ることがなく、また無駄な労力および時間を費やすことなく、容易に詰まった記録媒体を排除することが可能であり、よって高い操作性を得ることのでき、且つ小型低価格化を実現することができる電子写真装置を提供することを目的とする。
【０００９】
【課題を解決するための手段】
前記の目的を達成するために、本発明の電子写真装置は、後面に記録媒体詰まりを排除するための開閉扉を有し、且つ該開閉扉の内側には、鏡状の反射部材と、前記転写装置とを配設し、前記開閉扉を開放すると、前記開閉扉が前記反射部材と前記転写装置を保持し、前記反射部材が反射像を形成し、前記電子写真装置の操作者に対して前記電子写真装置の内部像を目視し易い位置へ送るように構成する。
【００１０】
また前記電子写真装置の記録媒体送り方向を、該電子写真装置の前後方向と概略一致させることで、記録媒体詰まりを排除するための開閉扉を左右側面に配設しないよう構成する。
【００１１】
またさらに望ましくは、前記電子写真装置の記録媒体送り方向を、該電子写真装置の後面に配設し、前面および上面にはトナーや記録媒体等の消耗品の補充、または定期交換部品の交換を行うための開閉扉を配設する。
【００１２】
【発明の実施の形態】
以下、本発明の一実施例を、図面を用いて説明する。
【００１３】
本発明の一実施例を図１に示す。
【００１４】
図１は本発明における一実施例のカラー電子写真装置の主断面図であり、各装置の配置を示したものである。矢印Ｆが本実施例における電子写真装置における前側であり、矢印Ｔが上側、矢印Ｒが後側である。したがって操作者は矢印Ｆへ対向する場所に位置することになり、図示Ｅが操作者の目の位置を示したものである。
【００１５】
本実施例における電子写真装置の構成は、ベルト状感光体である像形成装置を垂直方向へ長く張っている。また像形成装置を境にして電子写真装置前側には、４色の異なる色の微小着色枌体であるトナーを封入された現像装置Ｋ、Ｙ、Ｍ、Ｃが重ねられて配設されており、電子写真装置後側にはドラム状の中間転写装置、転写装置、記録媒体供給装置、定着装置、記録媒体排出装置が配設されている。さらに現像装置Ｃの下方には像形成装置に静電濳像を形成するための露光手段が配設され、さらにその下方には記録媒体を溜めておく記録媒体保持手段が配設されている。また中間転写装置の周辺には、記録媒体剥離手段、中間転写装置清掃手段が配設さており、像形成装置の周辺には帯電器、像形成装置清掃手段、残像消去手段が配設されている。
【００１６】
以上の構成における本実施例の電子写真装置の動作は、まずベルト状感光体である像形成装置は、図示しない動力源により矢印Ｐの方向へ走行し、帯電器により表面を一様に帯電される。次にパソコン、イメージスキャナ等による画像、文字の情報を露光手段によりドット単位で露光が行われ、表面に静電濳像が形成される。その後、像形成装置上の静電濳像は現像装置Ｋ、Ｙ、Ｍ、Ｃのいずれかによりトナーが供給、現像されることによりトナー像として可視化され、第一転写位置Ｔ１へ搬送される。第一転写位置Ｔ１では、図示しない電源から供給される像形成装置と中間転写装置との電位差によりトナー像が像形成装置から中間転写装置の表面へ転写される。第一転写位置Ｔ１を通過した後、像形成装置の表面は残像排除手段による光照射で電位を一定値以下に落とされ静電濳像が消去され、また像形成装置清掃手段より第一転写位置にて転写されずに残留した表面の残トナーが清掃され、次のトナー像の形成が可能な状態となる。
【００１７】
以上の動作を１サイクルとし、中間転写装置の一周の時間に合わせて、現像装置Ｋ、Ｙ、Ｍ、Ｃに対して順次行うことにより、中間転写装置の表面に単色トナー像を重ね合わせた多色のトナー像が形成される。
【００１８】
ここで、紙、ＯＨＰシート等の記録媒体は記録媒体供給装置により適時第二転写位置Ｔ２に搬送され、中間転写装置の表面に形成された単色あるいは多色のトナー像が、転写装置の働きにより記録媒体上に転写される。その後、記録媒体は記録媒体剥離手段により中間転写装置より剥離され、定着装置によりトナーを記録媒体上に定着され、記録媒体排出装置により電子写真装置外へ排出される。一方、記録媒体へのトナー像の転写終了後、記録媒体へ転写されずに中間転写装置５の表面へ残留した残トナーは、中間転写装置清掃手段により清掃され、次のトナー像の重ねあわせが可能な状態となる。
【００１９】
前記の本実施例におけるカラー電子写真装置の特徴は、像形成装置をベルト状感光体としたことにより、複数の現像装置Ｋ、Ｙ、Ｍ、Ｃを重ねて配設し、また記録媒体の搬送経路が簡略であることから、安価な構成にて電子写真装置本体の小型軽量化を実現したことにある。
【００２０】
また記録媒体の送り方向が電子写真装置の前後方向に一致させており、記録媒体保持手段は前側Ｆ方向に引き出すことにより記録媒体の補充が可能であり、さらに前面開閉扉ＦＤは支点ＦＰを中心に、上面扉ＴＤは支点ＴＰを中心にして、それぞれ回動することにより開閉可能であるから、トナーを使い切った空の現像装置は前側Ｆ方向に、また定期交換部品である像形成装置や定着装置は上側Ｔ方向に引き出すことによりそれぞれ交換可能であり、電子写真装置の左右側面に開閉扉を配設していないため、左右に隣接して他のものを置いたり、事務所等の壁の角部に沿って電子写真装置を設置したり、机上の小さな空間に設置したりすることが可能であり、設置空間の小型化を実現している。
【００２１】
しかしながら電子写真装置は、近年の記録媒体搬送技術の進歩により消耗品の補充等に比べ頻度は低くなってはいるが、動作中に記録媒体詰まりが発生して停止した際、本実施例の場合、操作者は支点ＲＰを中心にして回動することにより開閉可能な後面扉ＲＤを開放し、詰まった記録媒体を後側Ｒ方向に引き出すことにより排除しなければならない。この際、操作者は後面扉を開放し、操作者から死角となる電子写真装置内部で詰まった記録媒体を、無理な姿勢を取ることにより覗き込んで目視確認するか、または手探りによって確認する、もしくは電子写真装置本体を回転移動して目視確認しやすい位置へ向きを変える、等の作業を行わなければならず、無駄な労力および時間を費やしてしまうことになる。
【００２２】
そこで本発明では、電子写真装置の記録媒体詰まりを排除するための後面開閉扉ＲＤにおいて、内側に鏡状の反射部材を配設する。これにより電子写真装置の内部像の反射像を形成し、電子写真装置の操作者に対し、間接的ではあるが目視し易い位置へ内部像を送ることができ、よって操作者から死角となり得ないようにすることできるようになる。操作者は前記反射像を目視しながら手を伸ばし、後面開閉扉ＲＤより詰まった記録媒体を排除すればよいので、無理な姿勢を取ることがなく、また無駄な労力および時間を費やすことなく、容易に詰まった記録媒体を排除することができ、よって高い操作性を得ることのできる電子写真装置を提供することが可能となる。
【００２３】
ここで前記の鏡状の反射部材を開閉扉に対し可動であるように構成すれば、反射像を送る方向を変化させることができ、様々な体格の操作者において目の位置Ｅが変化しても、また電子写真装置の設置場所を問わず、容易に詰まった記録媒体を排除することが可能となる。
【００２４】
また前記の記録媒体詰まりを排除するための開閉扉が開放されたことを検知し、電子写真装置の内部を照らす光源が点灯するように構成すれば、反射像といえど装置内部を見やすくすることができ、詰まった記録媒体を排除する作業はさらに容易になる。
【００２５】
さらに、前記の記録媒体詰まりを排除するための開閉扉の内側に設けられた鏡状の反射部材は、該開閉扉内側の既存の部材、たとえば鋼板等を鏡面状に加工して形成するか、あるいは既存の部材上にアルミ箔のような鏡面状の薄膜部材を取り付けて形成すれば、無駄な費用をかけることなく、安価な構成にて本発明を実施可能となる。
【００２６】
【発明の効果】
本発明によれば、簡単な構成により、特に記録媒体詰まり時に電子写真装置の操作者が詰まった記録媒体を排除する際、無理な姿勢を取ることがなく、また無駄な労力および時間を費やすことなく、容易に詰まった記録媒体を排除することが可能となり、よって高い操作性を得ることのでき、且つ小型軽量、および低価格化を実現できる電子写真装置を提供することが可能となる。
【図面の簡単な説明】
【図１】本発明の一実施例における電子写真装置の主断面図。
【符号の説明】
１…反射部材、２…記録媒体、３…像形成装置、４Ｙ、４Ｍ、４Ｃ、４Ｋ…現像装置、５…中間転写装置、６…転写装置、７…記録媒体供給装置、８…定着装置、９…記録媒体排出装置、１０…露光手段、１１…記録媒体保持手段、１２…記録媒体剥離手段、１３…中間転写装置清掃手段、１４…帯電器、１５…像形成体清掃手段、１６…残像消去手段、１７…電子写真装置、Ｅ…操作者の目の位置、Ｆ…電子写真装置前側、Ｒ…電子写真装置後側、Ｔ…電子写真装置上側、ＦＤ…前面開閉扉、ＲＤ…後面開閉扉、ＴＤ…上面開閉扉、Ｐ…像形成装置走行方向、Ｑ…現像装置のトナー担持体回転方向、Ｓ…中間転写装置回転方向、Ｔ１…第一転写位置、Ｔ２…第二転写位置。
【図１】
0004013112.tif 000002